(57)【要約】      （修正有）【課題】制限エリア内において確実に携帯電話の発信を規制することが可能であり、かつ、安価なコストでシステムを構築することが可能な携帯端末通信規制システムを提供する。【解決手段】リードライト装置１０は、無線タグ２２に記憶されている携帯端末２０の電源部２５がオンに設定されているか、またはオフに設定されているかを示す電源設定情報を読みし、制限エリア内に携帯端末２０が持ち込まれたことを検出する。リードライト装置１０は、電源がオンに設定されている携帯端末２０が検出されると、電源を強制的にオフにすることを要求するオフ強制要求を携帯端末２０に送信する。携帯端末１０は、送信されたオフ強制要求により、電源をオフに設定するとともに、電源がオフを示す電源設定情報を無線タグ２２に出力する。【選択図】  図１
2006203647.tif 000002
【特許請求の範囲】
【請求項１】
無線タグを有する携帯端末と、
携帯端末による通信の制限エリアの入り口に設置され、前記無線タグに記憶されているタグ情報を読み出すとともに該無線タグにタグ情報を書き込むリードライト装置とを備え、当該携帯端末による通信を規制する携帯端末通信規制システムであって、
前記無線タグに記憶されているタグ情報は、前記携帯端末の電源がオンに設定されているか、またはオフに設定されているかを示す電源設定情報を有しており、
前記リードライト装置は、
前記無線タグに記憶されている前記電源設定情報を読み出すタグ情報読出し部と、
前記電源設定情報により携帯端末を検出する端末検出部と、
前記端末検出部により電源がオンに設定されている携帯端末が検出されると、該携帯端末の電源を強制的にオフにすることを要求するオフ強制要求を該携帯端末に送信するオフ強制要求送信部とを備え、
前記携帯端末は、
前記電源設定情報を出力し、前記無線タグに記憶させる電源設定情報出力部と、
前記オフ強制要求送信部により送信された前記オフ強制要求により、電源をオフに設定する電源オフ設定部とを備え、前記電源設定情報出力部は、前記電源オフ設定部により電源をオフに設定するときに、電源がオフを示す電源設定情報を前記無線タグに出力する、
携帯端末通信規制システム。
【請求項２】
請求項１記載の携帯端末通信規制システムであって、
前記リードライト装置は、
電源がオフに設定されている携帯端末が制限エリア内から非制限エリアに出るとき、該携帯端末の電源を強制的にオンに設定することを要求するオフ解除要求を該携帯端末に送信するオフ解除要求送信部を更に備え、
前記携帯端末は、
前記オフ解除要求送信部により送信された前記オフ解除要求により、電源をオンに設定する電源オン設定部を更に備え、
前記電源設定情報出力部は、電源がオンに設定されるときに、オン設定を示す電源設定情報を前記無線タグに出力する、
携帯端末通信規制システム。
【請求項３】
請求項２記載の携帯端末通信規制システムであって、
前記リードライト装置は、
前記オフ強制要求送信部により前記オフ強制要求を前記携帯端末に送信し、該携帯端末の電源をオフに設定したのち、前記オフ解除要求送信部により前記オフ解除要求を該携帯端末に送信してその電源をオンに設定するまで、該携帯端末の電源をオフに保持することを要求する電源オフ保持要求を該携帯端末に送信する電源オフ保持要求送信部を更に備え、
前記携帯端末は、
前記電源オフ保持要求送信部により前記電源オフ保持要求が受信されると、該電源オフ保持要求を前記無線タグに出力する電源オフ保持要求出力部を更に備える、
携帯端末通信規制システム。
【請求項４】
請求項１ないし３のいずれか１項記載の携帯端末通信規制システムであって、
前記制限エリアの入り口に設置された表示装置を更に備え、
前記リードライト装置は、
前記端末検出部により、前記制限エリア内に携帯端末が持ち込まれたことを検出すると、電源をオフに設定する旨のガイダンスを前記表示装置に出力するガイダンス出力部を更に備え、
前記表示装置は、ガイダンス出力部により出力されたガイダンスを表示する、
携帯端末通信規制システム。
【請求項５】
請求項１ないし４のいずれか１項記載の携帯端末通信規制システムであって、
前記携帯端末が携帯電話である場合に、前記無線タグに記憶されているタグ情報は、前記携帯電話の電話番号を示す電話番号情報を有しており、
前記リードライト装置は、前記タグ情報読出し部により読み出された前記電話番号情報を携帯電話基地局へ送る通信部を有する、
携帯端末通信規制システム。
【請求項６】
無線タグを有する携帯端末と、
携帯端末による通信の制限エリアの入り口に設置され、無線タグに記憶されているタグ情報を読み出すとともに該無線タグにタグ情報を書き込むリードライト装置とを備え、当該携帯端末による通信を規制する携帯端末通信規制システムであって、
前記無線タグに記憶されているタグ情報には、携帯端末の電源がオンに設定されているか、またはオフに設定されているかを示す電源設定情報を有しており、
前記リードライト装置は、
前記無線タグに記憶されている前記電源設定情報を読み出すタグ情報読出し部と、
前記電源設定情報により携帯端末を検出する端末検出部と、
前記端末検出部により電源がオンに設定されている携帯端末が検出されると、（ａ）当該携帯端末をマナーモードに強制的に設定するか、（ｂ）当該携帯端末の計時機能を利用した自動起動の解除を強制的に設定するか、（ｃ）当該携帯端末のアラームの解除を強制的に設定するか、（ｄ）当該携帯端末の通信機能のみをオフに設定するか、のうち少なくともいずれか一つを要求するマナーモード等強制要求を該携帯端末に送信するマナーモード等強制要求送信部を備え、
前記携帯端末は、
前記マナーモード等強制要求送信部により送信された前記マナーモード等強制要求により、該マナーモード等強制要求が示す前記（ａ）ないし（ｄ）のうち少なくとも一つの設定状態に設定変更するマナーモード等設定変更部と、
前記マナーモード等設定変更部により該マナーモード等強制要求が示す設定状態に前記携帯端末の設定状態が設定変更されるときに、前記マナーモード等強制要求を前記無線タグに記憶させるために出力するマナーモード等設定情報出力部とを備える、
携帯端末通信規制システム。
【請求項７】
請求項６記載の携帯端末通信規制システムであって、
前記リードライト装置は、
携帯端末が制限エリア内から非制限エリアに出るとき、該携帯端末に対して、前記（ａ）ないし（ｄ）のうち少なくとも一つの設定状態を、元の設定状態に復帰させることを要求するマナーモード等復帰要求を該携帯端末に送信するマナーモード等復帰要求送信部を更に備え、
前記携帯端末は、
前記マナーモード等復帰要求送信部により送信された前記マナーモード等復帰要求により、該マナーモード等復帰要求が示す設定状態に復帰させるマナーモード等設定復帰部を更に備える、
携帯端末通信規制システム。
【請求項８】
請求項７記載の携帯端末通信規制システムであって、
前記リードライト装置は、
前記マナーモード等強制要求送信部により前記マナーモード等強制要求を前記携帯端末に送信したのち、前記マナーモード等復帰要求送信部により前記マナーモード等復帰要求を該携帯端末に送信して該マナーモード等復帰要求が示す設定状態に該携帯端末を復帰させるまで、該携帯端末を前記マナーモード等強制要求が示す設定状態に該携帯端末の設定状態を保持することを要求するマナーモード等保持要求を該携帯端末に送信するマナーモード等保持要求送信部を更に備え、
前記携帯端末は、
前記マナーモード等保持要求送信部により前記マナーモード等保持要求が受信されると、該マナーモード等保持要求を前記無線タグに出力するマナーモード等保持要求出力部を更に備える、
携帯端末通信規制システム。
【請求項９】
請求項６ないし８のいずれか１項記載の携帯端末通信規制システムであって、
該携帯端末の持ち込みを制限する制限エリアの入り口に設置された表示装置を更に備え、
前記リードライト装置は、
前記端末検出部により、前記制限エリア内に携帯端末が持ち込まれたことを検出すると、当該携帯端末を、前記（ａ）ないし（ｄ）のうち少なくとも一つの設定状態に設定する旨のガイダンスを前記表示装置に出力するガイダンス出力部を更に備え、
前記表示装置は、ガイダンス出力部により出力されたガイダンスを表示する、
携帯端末通信規制システム。
【請求項１０】
請求項６ないし９のいずれか１項記載の携帯端末通信規制システムであって、
前記携帯端末が携帯電話である場合に、前記無線タグに記憶されているタグ情報は、前記携帯電話の電話番号を示す電話番号情報を有しており、
前記リードライト装置は、前記タグ情報読出し部により読み出された前記電話番号情報を携帯電話基地局へ送る通信部を有する、
携帯端末通信規制システム。
【請求項１１】
無線タグを有する携帯端末による通信の制限エリアにおいて、携帯端末による通信を規制する携帯端末通信規制方法であって、
前記無線タグに記憶されている、携帯端末の電源がオンに設定されているか、またはオフに設定されているかを示す電源設定情報を読み出し、
読み出された前記電源設定情報に基づき、前記制限エリア内に携帯端末が持ち込まれたことを検出し、
電源がオンに設定されている携帯端末が検出されると、該携帯端末の電源を強制的にオフにすることを要求するオフ強制要求を当該携帯端末に送信し、
送信された前記オフ強制要求により、携帯端末の電源をオフに設定し、
電源をオフに設定するときに、オフ設定を示す電源設定情報を前記無線タグに記憶する、携帯端末通信規制方法。
【請求項１２】
無線タグを有する携帯端末による通信の制限エリアにおいて、携帯端末による通信を規制する携帯端末通信規制方法であって、
前記無線タグに記憶されている携帯端末の電源がオンに設定されているか、またはオフに設定されているかを示す電源設定情報を読み出し、
読み出した前記電源設定情報に基づき、前記制限エリア内に携帯端末が持ち込まれたことを検出し、
電源がオンに設定されている携帯端末が検出されると、（ａ）当該携帯端末をマナーモードに強制的に設定するか、（ｂ）当該携帯端末の計時機能を利用した自動起動の解除を強制的に設定するか、（ｃ）当該該携帯端末のアラームの解除を強制的に設定するか、（ｄ）当該携帯端末の通信機能のみをオフに設定するか、のうち少なくともいずれか一つを要求するマナーモード等強制要求を当該携帯端末に送信し、
送信された前記マナーモード等強制要求により、携帯端末を、マナーモード等強制要求が示す前記（ａ）ないし（ｄ）のうち少なくとも一つの設定状態に設定変更し、
前記マナーモード等強制要求を前記無線タグに記憶させる、携帯端末通信規制方法。
【請求項１３】
携帯端末であって、
電源と、
前記電源がオンに設定されているか、またはオフに設定されているかを示す電源設定情報を含むタグ情報を有する無線タグと、
前記電源設定情報を出力し、前記無線タグに記憶させる電源設定情報出力部と、
前記無線タグに接続された無線タグ用アンテナと、
当該無線タグ用アンテナを介し、外部から前記電源をオフに強制的に設定するオフ強制要求が受信されたときに、前記電源をオフに設定する電源オフ設定部と備え、
前記電源設定情報出力部は、前記電源オフ設定部により前記電源をオフに設定するときに、電源がオフを示す電源設定情報を前記無線タグに出力する、携帯端末。
【請求項１４】
請求項１３記載の携帯端末であって、
前記無線タグ用アンテナを介し、外部から前記電源を強制的にオンに設定することを要求するオフ解除要求が受信されたときに、前記電源をオンに設定する電源オン設定部を更に備え、
前記電源設定情報出力部は、電源がオンに設定されるときに、オン設定を示す電源設定情報を前記無線タグに出力する、携帯端末。
【請求項１５】
請求項１４記載の携帯端末であって、
前記無線タグ用アンテナを介し、前記電源をオフに保持することを要求する電源オフ保持要求が受信されたときに、当該電源オフ保持要求を前記無線タグに出力する電源オフ保持要求出力部を更に備える、携帯端末。
【請求項１６】
請求項１３ないし１５のいずれか１項記載の携帯端末であって、
前記携帯端末が携帯電話であって、前記無線タグに記憶されているタグ情報は、前記携帯電話の電話番号を示す電話番号情報を含む、携帯端末。
【請求項１７】
携帯端末であって、
電源と、
前記電源がオンに設定されているか、またはオフに設定されているかを示す電源設定情報を含むタグ情報を有する無線タグと、
前記電源設定情報を出力し、前記無線タグに記憶させる電源設定情報出力部と、
前記無線タグに接続された無線タグ用アンテナと、
当該無線タグ用アンテナを介し、外部から（ａ）当該携帯端末をマナーモードに強制的に設定するか、（ｂ）当該携帯端末の計時機能を利用した自動起動の解除を強制的に設定するか、（ｃ）当該携帯端末のアラームの解除を強制的に設定するか、（ｄ）当該携帯端末の通信機能のみをオフに設定するか、のうち少なくともいずれか一つを要求するマナーモード等強制要求が受信されたときに、
前記（ａ）ないし（ｄ）のうち少なくとも一つの設定状態に設定変更するマナーモード等設定変更部と、
前記マナーモード等設定変更部により該マナーモード等強制要求が示す設定状態に前記携帯端末の設定状態が設定変更されるときに、前記マナーモード等強制要求を前記無線タグに記憶させるために出力するマナーモード等設定情報出力部とを備える、携帯端末。
【請求項１８】
請求項１７記載の携帯端末であって、
前記無線タグ用アンテナを介し、外部から前記（ａ）ないし（ｄ）のうち少なくとも一つの設定状態を、元の設定状態に復帰させることを要求するマナーモード等復帰要求が受信されたとき、当該マナーモード等復帰要求が示す設定状態に復帰させるマナーモード等設定復帰部を更に備える、携帯端末。
【請求項１９】
請求項１８記載の携帯端末であって、
前記無線タグ用アンテナを介し、外部から該携帯端末を前記マナーモード等強制要求が示す設定状態に該携帯端末の設定状態を保持することを要求するマナーモード等保持要求が受信されたとき、当該マナーモード等保持要求送信部により前記マナーモード等保持要求が受信されると、該マナーモード等保持要求を前記無線タグに出力するマナーモード等保持要求出力部を更に備える、携帯端末通信規制システム。
【請求項２０】
請求項１７ないし１９のいずれか１項記載の携帯端末であって、
前記携帯端末が携帯電話であって、前記無線タグに記憶されているタグ情報は、前記携帯電話の電話番号を示す電話番号情報を有している、携帯端末。
【発明の詳細な説明】
【技術分野】
【０００１】
本発明は、携帯端末の持ち込みを制限するエリアに持ち込まれた携帯端末を検出し、通信を規制する携帯端末通信規制システム及び携帯端末通信規制方法に関する。
【背景技術】
【０００２】
携帯電話等の携帯端末が発信する電波により、心臓のペースメーカ、操縦計器等の精密電子機器が誤動作を引き起こすため、病院内、航空機内等では、携帯端末に対して電源をオフすることや、発信の規制などが行われている。また、美術館や劇場においても携帯端末の呼出し音や電話での対話が他人に対する迷惑を与えるため、携帯端末に対して発信や着信の規制や、アラームや着信音など鳴動音の規制が行われている。
【０００３】
ただし、このような呼びかけは携帯電話装置の所持者個人のマナーに委ねられている。現状では、そのようなマナーは充分に守られているとはいえない。発信側では、発信先の携帯端末を所持する相手の現在位置が不明であるので、相手が携帯端末の使用にふさわしくない場所にいるのも知らずに発信してしまう。
【０００４】
このような問題に対し、特許文献１には、使用制限エリア内の閉空間で、閉空間内の携帯端末への着信を抑制して一時停止状態とし、発信者には閉空間に関する内容を含むアナウンスを発し、使用制限エリア内への着信を規制する技術が提案されている。携帯端末が閉空間にいるか否かは、閉空間への出入り口に無線基地局からの電波を遮蔽する圏外エリアを設け、携帯端末が圏外エリアから閉空間に移動するときに、携帯端末から無線基地局に対して行われる位置登録信号を、閉空間内で受信することによって判断する。
【０００５】
特許文献１の技術では、使用制限エリアとなる閉空間の出入り口に無線基地局からの電波を遮蔽する圏外エリアが必要となる。圏外エリアは、シールド部材等によって遮蔽して形成しなければならない。恒常的な遮蔽を行ってしまうと、映画館等の閉空間で携帯電話の通信を抑制する必要がないときでも、無線基地局からの電波を遮蔽してしまい、圏外エリアでは電話通信が困難になってしまう。また、閉空間内の携帯端末からの位置登録情報のみを受信して、閉空間内にある携帯端末を正確に把握する必要がある。このためには、閉空間内全体をカバーし、なおかつ閉空間内のみで携帯端末からの位置登録情報を受信するような指向性を備えるアンテナが必要となる。したがって、閉空間が広大になると、アンテナや受信機器などの設備費用が増大してしまう。
【０００６】
そこで、特許文献２は、携帯電話装置に携帯電話番号情報を蓄積するＲＦＩＤタグを設け、当該携帯電話番号情報を読み取り、当該携帯電話装置への着信を規制する着信抑制手段を用いた通信抑制技術を開示している。この技術によれば、着信抑制手段は携帯電話装置の使用制限空間の出入り口に配置され、当該空間に出入りする携帯電話装置のＲＦＩＤタグから携帯電話番号情報を読み取ることにより、使用制限空間に滞在する携帯電話装置を認識する。そして、当該携帯電話装置に他の携帯電話装置からの着信があったときに、通話ができない旨を返答することで、使用制限空間の携帯電話装置への着信を抑制する。このような技術を採用することにより、上述のような設備費用の問題などの解決を図っている。
【０００７】
【特許文献１】特開２０００−２３６５７２号公報
【特許文献２】特開２００２−２７１８５０号公報
【０００８】
しかしながら、上述のような方式下では、使用制限空間においても携帯端末の電源はオンのままである。この場合、携帯端末から発される電波が０になるとは限らない。従って、病院内、飛行機内など、電波抑制が厳しく要求される領域に対しては、特許文献２記載の技術は十分なものではない。また、美術館や劇場などでは、通話はなるべく抑制されるべきであるが、着信音やアラーム音などの鳴動音を抑制さえすればよい場合もある。このよう場合、常に通話ができない旨のメッセージが相手方へ発信されてしまうのは、不都合である。
【０００９】
本発明は、制限エリア内において確実に携帯電話の通信を規制することができるとともに、安価なコストでシステムを構築することができる携帯端末通信規制システム及び携帯端末の通信規制方法を提供することを目的とする。
【発明の開示】
【課題を解決するための手段】
【００１０】
本発明の携帯端末通信規制システムは、無線タグを有する携帯端末と、携帯端末による通信の制限エリアの入り口に設置され、前記無線タグに記憶されているタグ情報を読み出すとともに該無線タグにタグ情報を書き込むリードライト装置とを備え、当該携帯端末による通信を規制する携帯端末通信規制システムであって、前記無線タグに記憶されているタグ情報は、前記携帯端末の電源がオンに設定されているか、またはオフに設定されているかを示す電源設定情報を有しており、前記リードライト装置は、前記無線タグに記憶されている前記電源設定情報を読み出すタグ情報読出し部と、前記電源設定情報により携帯端末を検出する端末検出部と、前記端末検出部により電源がオンに設定されている携帯端末が検出されると、該携帯端末の電源を強制的にオフにすることを要求するオフ強制要求を該携帯端末に送信するオフ強制要求送信部とを備え、前記携帯端末は、前記電源設定情報を出力し、前記無線タグに記憶させる電源設定情報出力部と、前記オフ強制要求送信部により送信された前記オフ強制要求により、電源をオフに設定する電源オフ設定部とを備え、前記電源設定情報出力部は、前記電源オフ設定部により電源をオフに設定するときに、電源がオフを示す電源設定情報を前記無線タグに出力する。
【００１１】
この構成によれば、リードライト装置に端末検出部を具備していることにより、制限エリア内に持ち込まれた携帯端末を検出することができる。また、リードライト装置には、オフ強制要求送信部を具備し、かつ、携帯端末に電源オフ設定部を具備していることにより、制限エリア内において確実に携帯電話の発信を規制することができ。更に、リードライト装置は、安価であるため安価なコストでシステムを構築することができる。
【００１２】
本発明の携帯端末通信規制システムは、前記リードライト装置が、電源がオフに設定されている携帯端末が制限エリア内から非制限エリアに出るとき、該携帯端末の電源を強制的にオンに設定することを要求するオフ解除要求を該携帯端末に送信するオフ解除要求送信部を更に具備し、前記携帯端末が、前記オフ解除要求送信部により送信された前記オフ解除要求により、電源をオンに設定する電源オン設定部を更に具備し、前記電源設定情報出力部が、電源がオンに設定されるときに、オン設定を示す電源設定情報を前記無線タグに出力するという構成を有する。
【００１３】
この構成によれば、リードライト装置にオフ解除要求送信部を具備し、かつ、携帯端末に電源オン設定部を具備していることにより、携帯端末が制限エリア内から非制限エリアに出るとき、人の操作を介さずに自動で電源をオンに設定することができる。
【００１４】
本発明の携帯端末通信規制システムは、前記リードライト装置が、前記オフ強制要求送信部により前記オフ強制要求を前記携帯端末に送信し、該携帯端末の電源をオフに設定したのち、前記オフ解除要求送信部により前記オフ解除要求を該携帯端末に送信してその電源をオンに設定するまで、該携帯端末の電源をオフに保持することを要求する電源オフ保持要求を該携帯端末に送信する電源オフ保持要求送信部を更に具備し、前記携帯端末が、前記電源保持要求送信部により前記電源オフ保持要求が受信されると、該電源オフ保持要求を前記無線タグに出力する電源オフ保持要求出力部を更に具備するという構成を有する。
【００１５】
この構成によれば、リードライト装置に電源オフ保持要求部を具備し、かつ、携帯端末に電源オフ保持要求出力部を具備していることにより、故意または誤って携帯端末の電源をオンにする操作を行った場合でも、電源をオンに設定することを防止することができる。
【００１６】
本発明の携帯端末通信規制システムは、該携帯端末の持ち込みを制限する制限エリアの入り口に設置された表示装置を更に備え、前記リードライト装置が、前記端末検出部により、前記制限エリア内に携帯端末が持ち込まれたことを検出すると、電源をオフに設定する旨のガイダンスを前記表示装置に出力するガイダンス出力部を更に備え、前記表示装置が、ガイダンス出力部により出力されたガイダンスを表示するという構成を有する。
【００１７】
この構成によれば、携帯端末が制限エリア内に持ち込まれた場合に表示装置が携帯端末の電源をオフにする旨のガイダンスを表示するので、携帯端末を携帯する入場者は、制限エリアに入場したことを認識することができる。
【００１８】
本発明の携帯端末通信規制システムは、前記携帯端末が携帯電話である場合に、前記無線タグに記憶されているタグ情報は、前記携帯電話の電話番号を示す電話番号情報を有しており、前記リードライト装置は、前記タグ情報読出し部により読み出された前記電話番号情報を携帯電話基地局へ送る通信部を有するという構成を有する。
【００１９】
この構成によれば、入場者は前もって携帯端末の電源がオフされることを知ることができ、自らが電源をオフすることができる。
【００２０】
更に本発明の他の携帯端末通信規制システムは、無線タグを有する携帯端末と、携帯端末による通信の制限エリアの入り口に設置され、無線タグに記憶されているタグ情報を読み出すとともに該無線タグにタグ情報を書き込むリードライト装置とを備え、当該携帯端末による通信を規制する携帯端末通信規制システムであって、前記無線タグに記憶されているタグ情報には、携帯端末の電源がオンに設定されているか、またはオフに設定されているかを示す電源設定情報を有しており、前記リードライト装置は、前記無線タグに記憶されている前記電源設定情報を読み出すタグ情報読出し部と、前記電源設定情報により携帯端末を検出する端末検出部と、前記端末検出部により電源がオンに設定されている携帯端末が検出されると、（ａ）当該携帯端末をマナーモードに強制的に設定するか、（ｂ）当該携帯端末の計時機能を利用した自動起動の解除を強制的に設定するか、（ｃ）当該携帯端末のアラームの解除を強制的に設定するか、（ｄ）当該携帯端末の通信機能のみをオフに設定するか、のうち少なくともいずれか一つを要求するマナーモード等強制要求を該携帯端末に送信するマナーモード等強制要求送信部を備え、前記携帯端末は、前記マナーモード等強制要求送信部により送信された前記マナーモード等強制要求により、該マナーモード等強制要求が示す前記（ａ）ないし（ｄ）のうち少なくとも一つの設定状態に設定変更するマナーモード等設定変更部と、前記マナーモード等設定変更部により該マナーモード等強制要求が示す設定状態に前記携帯端末の設定状態が設定変更されるときに、前記マナーモード等強制要求を前記無線タグに記憶させるために出力するマナーモード等設定情報出力部とを備える。
【００２１】
この構成によれば、リードライト装置に端末検出部を具備していることにより、制限エリア内に持ち込まれた携帯端末を検出することができる。また、リードライト装置にマナーモード等強制要求送信部を具備し、かつ、携帯端末にマナーモード等設定変更部を具備していることにより、制限エリア内において、マナーモードに強制的に設定し、該携帯端末の計時機能を利用した自動起動の解除を強制的に設定し、及びや該携帯端末のアラームの解除を強制的に設定するという携帯電話の発信を確実に規制することができる。更に、リードライト装置は、安価であるため安価なコストでシステムを構築することができる。
【００２２】
本発明の携帯端末通信規制システムは、前記リードライト装置が、携帯端末が制限エリア内から非制限エリアに出るとき、該携帯端末に対して前記（ａ）ないし（ｄ）の設定状態を、元の設定状態に復帰させることを要求するマナーモード等復帰要求を該携帯端末に送信するマナーモード等復帰要求送信部を更に具備し、前記携帯端末が、前記マナーモード等復帰要求送信部により送信された前記マナーモード等復帰要求により、該マナーモード等復帰要求が示す設定状態に復帰させるマナーモード等設定復帰部を更に具備するという構成を有する。
【００２３】
この構成によれば、リードライト装置にマナーモード等復帰要求送信部を具備し、かつ、携帯端末にマナーモード等設定復帰部を具備していることにより、携帯端末が制限エリア内から非制限エリアに出るとき、人の操作を介さずに自動で元の設定状態に携帯端末の設定状態を復帰させることができる。
【００２４】
本発明の携帯端末通信規制システムは、前記リードライト装置が、前記マナーモード等強制要求送信部により前記マナーモード等強制要求を前記携帯端末に送信したのち、前記マナーモード等復帰要求送信部により前記マナーモード等復帰要求を該携帯端末に送信して該マナーモード等復帰要求が示す設定状態に該携帯端末を復帰させるまで、該携帯端末を前記マナーモード等強制要求が示す設定状態に該携帯端末の設定状態を保持することを要求するマナーモード等保持要求を該携帯端末に送信するマナーモード等保持要求送信部を更に具備し、前記携帯端末が、前記マナーモード等保持要求送信部により前記マナーモード等保持要求が受信されると、該マナーモード等保持要求を前記無線タグに出力するマナーモード等保持要求出力部とを更に具備するという構成を有する。
【００２５】
この構成によれば、リードライト装置にマナーモード等保持要求送信部を具備し、かつ、携帯端末にマナーモード等保持要求出力部を具備していることにより、故意または誤って携帯端末をマナーモードを解除し、自動起動を解除し、及びや該携帯端末のアラームを解除する操作を行った場合でも、これらの解除をすることを防止することができる。
【００２６】
本発明の携帯端末通信規制システムは、該携帯端末の持ち込みを制限する制限エリアの入り口に設置された表示装置を更に備え、前記リードライト装置が、前記端末検出部により、前記制限エリア内に携帯端末が持ち込まれたことを検出すると、（ａ）ないし（ｄ）の設定状態にする旨のガイダンスを前記表示装置に出力するガイダンス出力部を更に備えるという構成を有する。
【００２７】
この構成によれば、携帯端末が制限エリア内に持ち込まれた場合に表示装置が携帯端末の電源をオフにする旨のガイダンスを表示するので、携帯端末を携帯する入場者は、制限エリアに入場したことを認識することができる。
【００２８】
本発明の携帯端末通信規制システムは、前記携帯端末が携帯電話である場合に、前記無線タグに記憶されているタグ情報は、前記携帯電話の電話番号を示す電話番号情報を有しており、前記リードライト装置は、前記タグ情報読出し部により読み出された前記電話番号情報を携帯電話基地局へ送る通信部を有するという構成を有する。
【００２９】
この構成によれば、入場者は前もって携帯端末の電源がオフされることを知ることができる。
【００３０】
更に、本発明の携帯端末通信規制方法は、無線タグを有する携帯端末による通信の制限エリアにおいて、携帯端末による通信を規制する携帯端末通信規制方法であって、前記無線タグに記憶されている、携帯端末の電源がオンに設定されているか、またはオフに設定されているかを示す電源設定情報を読み出し、読み出された前記電源設定情報に基づき、前記制限エリア内に携帯端末が持ち込まれたことを検出し、電源がオンに設定されている携帯端末が検出されると、該携帯端末の電源を強制的にオフにすることを要求するオフ強制要求を当該携帯端末に送信し、送信された前記オフ強制要求により、携帯端末の電源をオフに設定し、電源をオフに設定するときに、オフ設定を示す電源設定情報を前記無線タグに記憶する。
【００３１】
この方法によれば、無線タグに記憶されている電源設定情報を読み出すことにより、制限エリア内に持ち込まれた携帯端末を検出することができる。また、携帯端末が受信したオフ強制要求に基づき電源をオフに設定することにより、制限エリア内において確実に携帯電話の発信を規制することができる。
【００３２】
更に、本発明の他の携帯端末通信規制方法は、無線タグを有する携帯端末による通信の制限エリアにおいて、携帯端末による通信を規制する携帯端末通信規制方法であって、前記無線タグに記憶されている携帯端末の電源がオンに設定されているか、またはオフに設定されているかを示す電源設定情報を読み出し、読み出した前記電源設定情報に基づき、前記制限エリア内に携帯端末が持ち込まれたことを検出し、電源がオンに設定されている携帯端末が検出されると、（ａ）当該携帯端末をマナーモードに強制的に設定するか、（ｂ）当該携帯端末の計時機能を利用した自動起動の解除を強制的に設定するか、（ｃ）当該該携帯端末のアラームの解除を強制的に設定するか、（ｄ）当該携帯端末の通信機能のみをオフに設定するか、のうち少なくともいずれか一つを要求するマナーモード等強制要求を当該携帯端末に送信し、送信された前記マナーモード等強制要求により、携帯端末を、マナーモード等強制要求が示す前記（ａ）ないし（ｄ）のうち少なくとも一つの設定状態に設定変更し、前記マナーモード等強制要求を前記無線タグに記憶させる。
【００３３】
この方法によれば、無線タグに記憶されている電源設定情報を読み出すことにより、制限エリア内に持ち込まれた携帯端末を検出することができる。また、携帯端末が受信したマナーモード等強制要求に基づき、該マナーモード等強制要求が示す設定状態に設定変更することにより、マナーモードに強制的に設定し、該携帯端末の計時機能を利用した自動起動の解除を強制的に設定し、及びや該携帯端末のアラームの解除を強制的に設定するという、携帯電話のマナーモード設定を確実に規制することができる。
【００３４】
更に本発明は、上述のシステム又は方法において使用される携帯端末をも含むものである。
【発明の効果】
【００３５】
本発明は、制限エリア内において確実に携帯電話の発信を規制することが可能であるとともに、安価なコストでシステムを構築することが可能な携帯端末通信規制システム及び携帯端末通信規制方法を提供することができる。
【発明を実施するための最良の形態】
【００３６】
以下、本発明の実施の形態を図面を参照して説明する。図１は本発明の実施形態に係る携帯端末通信規制システムの構成を示すブロック図である。
【００３７】
この実施形態の携帯端末通信規制システムは、図１に示すように、携帯端末２０の持ち込み、通信を制限する制限エリアの入り口に設置され、無線タグに記憶されているタグ情報を読み出すリードライト装置（質問機）１０と、無線タグ（応答機）を有する携帯端末２０とから構成されている。
【００３８】
リードライト装置１０は、無線タグから送信されてきたタグ情報を受信するとともに、無線タグにタグ情報を送信する送受信用アンテナ１１と、無線タグに送信するタグ情報の変調等を行う送信部１２と、送受信用アンテナから供給されたタグ情報の復調等を行う受信部１３と、ＣＰＵを有し、後述するこの実施形態の携帯端末通信規制システムの処理を実行する制御部１４と、電源を供給する電源部１５と、制御部１４が実行する制御部プログラムを記憶するＲＯＭ、及び一時的に情報を記憶するＲＡＭを有する記憶部１６と、操作内容及び処理内容等を表示する液晶表示装置からなる表示部１７と、電源投入スイッチ、入力操作ボタン等を有する操作部１８と、から構成されている。更に、携帯端末２０が携帯電話の場合、リードライト装置１０は通信部１９を備え、携帯電話網５０を介して携帯電話基地局（ＢＳ）６０と接続可能である。
【００３９】
携帯端末２０は、無線タグ２２に記憶されているタグ情報をリードライト装置１０に送信するとともにリードライト装置１０から送信されてきた情報（この内容は後述する）を受信する無線タグ用アンテナ２１と、タグ情報（この内容は後述する）を記憶する無線タグ２２と、無線タグ２２がリードライト装置１０から送信されてきた情報を記憶したときに、その旨を制御装置に出力する外部制御インターフェース２３と、ＣＰＵを有し、後述するこの実施形態の携帯端末通信規制システムの処理及び携帯端末２０本来の機能の処理を実行する制御部２４と、制御部２４、機能実装部２６、表示部２７及び操作部２８に電力を供給する電源部２５と、制御部２４が実行する処理内容が記述された制御プログラムを制御プログラムを記憶するＲＯＭ、及び一時的に情報を記憶するＲＡＭを有する機能実装部２６と、操作内容及び処理内容等を表示する液晶表示装置からなる表示部２７と、電源投入スイッチ、入力操作ボタン等を有する操作部２８と、電源部２５と制御部２４、機能実装部２６、表示部２７及び操作部２８との間の接続をコントロールするスイッチ部２９とから構成されている。なお、電源部２５から電力の供給を受ける制御部２４、機能実装部２６、表示部２７及び操作部２８を携帯端末主要部２００という。
【００４０】
次に、この実施形態の携帯端末通信規制システムの動作を、（１）電源がオンに設定された携帯端末の持ち込みを禁止する病院、飛行機等の制限エリアに入退場する際の携帯端末通信規制システムの動作と、（２）携帯端末の呼出し音や電話の対話により他人に対する迷惑を与える美術館、劇場等の制限エリアに入退場する際の携帯端末通信規制システムの動作について、それぞれ制限エリアに入場する場合と退場する場合に分けて説明する。
【００４１】
（１）病院、飛行機等の制限エリアに入退場する際の携帯端末通信規制システムの動作について
【００４２】
＜入場する場合について＞
図２は制限エリアに入退場する際の携帯端末通信規制システムの動作を説明するための図であり、図３は病院、飛行機等の制限エリアに入場する際の携帯端末通信規制システムの動作を示すフローチャートである。
【００４３】
携帯端末２０を携帯する入場者の操作により、携帯端末２０の操作部２８に設けられた電源ボタンが押下されると、制御部２４は、電源をオンまたはオフに設定し、電源がオンまたはオフに設定した旨を示す電源設定情報を外部制御インターフェース２３介して無線タグ２２に出力する。制御部２４は電源設定情報出力部を構成する。無線タグ２２は、入力された電源設定情報を記憶する（ステップＳ１０１）。その後、入場者に携帯された携帯端末が制限エリア１００の入り口のゲート４０を通過すると、その箇所に設置されているリードライト装置１０は、携帯端末２０の無線タグ２２に記憶されているタグ情報を読み出すタグ情報読出し信号を携帯端末２０に送信する（ステップＳ１０２）。
【００４４】
すると、携帯端末２０の無線タグ２２は、記憶しているタグ情報を無線タグ用アンテナ２１を介してリードライト装置１０に送信する（ステップＳ１０３）。
【００４５】
リードライト装置１０の受信部１３は、タグ情報を受信し、この情報を制御部１４に出力する。受信部１３は、携帯端末２０の電源がオンに設定されているか、またはオフに設定されているかを示す電源設定情報を読み出すタグ情報読出し部を構成する。制御部１４は、入力されたタグ情報を読み出し、タグ情報が電源設定情報であることを特定することで、携帯端末２０が制限エリア内に入ったことを検出する（ステップＳ１０４）。制御部１４は、電源設定情報により携帯端末を検出する端末検出部を構成する。次に、制御部１４は、電源設定情報がオン設定を示しているか否かを判定する（ステップＳ１０５）。制御部１４は、電源設定情報がオン設定でないと判定した場合には（ステップＳ１０５；ＮＯ）、ステップＳ１１０に処理を移行する。一方、制御部１４は、電源設定情報がオン設定であると判定した場合には（ステップＳ１０５；ＹＥＳ）、図２に示すように、携帯端末２０の電源を強制的にオフ設定にする旨を入場者に知らせるためのガイダンスを制限エリア内に設置されている表示装置３０に表示させる（ステップＳ１０６）。制御部１４は、ガイダンス出力部を構成する。その後、制御部１４は、携帯端末２０の電源を強制的にオフにすることを要求するオフ強制要求を送信部１２に出力する。送信部１２は、受けたオフ強制要求を変調し、変調したオフ強制要求を送受信用アンテナ１１を介して携帯端末２０に送信する（ステップＳ１０７）。送信部１２は、オフ強制要求送信部を構成する。
【００４６】
携帯端末２０の無線タグ２２は、無線タグ用アンテナ２１を介して受信したオフ強制要求をタグ情報として記憶する（ステップＳ１０８）。次に、外部制御インターフェース２３は、無線タグに新たなタグ情報が記憶されたことを制御部２４に知らせる情報を出力する。制御部２４は、外部制御インターフェース２３からの情報に基づき、無線タグ２２に記憶されているタグ情報を読み出し、読み出した情報がオフ強制要求である旨を認識し、スイッチ部２９のスイッチを開き、携帯端末主要部２００に対して電源部２５からの電力供給を停止する（ステップＳ１０９）。制御部２４、スイッチ部２９は電源をオフにする電源オフ設定部を構成する。
【００４７】
その後、リードライト装置１０の制御部１４は、記憶部１６に記憶されている、携帯端末２０の電源をオフに保持する必要があるかないかを示す情報を読み出し、電源をオフに保持する必要があるか否かを判定する（ステップＳ１１０）。制御部１４は、電源をオフに保持する必要がないと判定した場合には（ステップＳ１１０；ＮＯ）、リードライト装置１０の処理を終了する。一方、制御部１４は、電源をオフに保持する必要があると判定した場合には（ステップＳ１１０；ＹＥＳ）、携帯端末の電源をオフに保持することを要求する電源オフ保持要求を送信部１２に出力する。送信部１２は、入力された電源オフ保持要求を変調し、変調した電源オフ保持要求を送受信用アンテナ１１を介して携帯端末２０に送信し（ステップＳ１１１）、リードライト装置１０の処理を終了する。送信部１２は、電源オフ保持要求送信部を構成する。
【００４８】
携帯端末２０の無線タグ２２は、無線タグ用アンテナ２１を介して電源オフ保持要求を受信すると、電源オフ保持要求を記憶する（ステップＳ１１２）。ここでは、無線タグ用アンテナ２１が、電源のオフ保持要求出力部として機能する。外部インターフェース２３は、無線タグ２２に新たにタグ情報が記憶されたことを示す情報を制御部２４に出力する。制御部２４は、その情報に基づき、操作部２８から電源をオンに設定する操作を行っても電源をオンに設定できない旨を機能実装部２６に登録し（ステップＳ１１３）、携帯端末の処理を終了する。
【００４９】
＜退場する場合について＞
図４は病院、飛行機等の制限エリアに退場する際の携帯端末通信規制システムの動作を示すフローチャートである。携帯端末を携帯する入場者が、制限エリア１００から非制限エリア１１０に退場する際にゲート４０を通過すると、リードライト装置１０は、送信部１２及び送受信用アンテナ１１を介して常時、携帯端末２０の無線タグに記憶されているタグ情報を読み出すタグ情報読出し信号を出力している（ステップＳ２０１）。
【００５０】
携帯端末２０がリードライト装置１０よりタグ情報読出し信号を受信すると、無線タグ２２は記憶しているオフ強制要求または電源オフ保持要求タグ情報からなるタグ情報を無線タグ用アンテナ２１を介してリードライト装置１０に送信する（ステップＳ２０２）。
【００５１】
リードライト装置１０の受信部１３は、タグ情報を送受信用アンテナ１１を介して受信すると、タグ情報を復調してこの情報を制御部１４に出力する。制御部１４は、入力されたタグ情報に基づき制限エリアを退場する携帯端末２０を検出する（ステップＳ２０３）。その後、制御部１４は、携帯端末２０の無線タグ２２に記憶されているオフ強制要求または電源オフ保持要求を解除するためのオフ解除要求（オン強制要求）を送信部１２に出力する。送信部１２は、入力されたオフ解除要求を変調し、変調したオフ解除要求を送受信用アンテナ１１を介して携帯端末２０に送信するとともに（ステップＳ２０４）、ゲート４０の近くに設置されている表示装置３０に携帯端末の電源をオンに設定した旨のガイダンスを表示し（ステップＳ２０５）、リードライト装置１０の処理を終了する。送信部１２はオフ解除要求を構成する。
【００５２】
携帯端末１０がオフ解除要求を受信すると、無線タグ２２は、オフ解除要求を記憶する（ステップＳ２０６）。外部制御インターフェース２３は、無線タグ２２に新たなタグ情報が記憶された旨を制御部２４に出力する。制御部２４は、外部制御インターフェース２３を介して無線タグ２２からタグ情報を読み出し、オフ解除要求に基づき、スイッチ部２９のスイッチを閉じ、電源部２９が供給する電力を携帯端末主要部２００に出力するとともに（ステップＳ２０７）、外部制御インターフェース２３を介して電源がオンを示す電源設定情報を無線タグ２２に出力する。無線タグ２２は、入力された電源設定情報を記憶し（ステップＳ２０８）、携帯端末１０の処理を終了する。制御部２４、スイッチ部２９は、電源オン設定部を構成する。
【００５３】
（２）美術館、劇場等の制限エリアに入退場する際の携帯端末通信規制システムの動作について
＜入場する場合について＞
図５は美術館、劇場等の制限エリアに入場する際の携帯端末通信規制システムの動作を示すフローチャートである。
【００５４】
携帯端末２０を携帯する入場者の操作により、携帯端末２０の操作部２８に設けられた電源ボタンが押下されると、制御部２４は、電源をオンまたはオフに設定し、電源がオンまたはオフに設定した旨を示す電源設定情報を外部制御インターフェース２３を介して無線タグ２２に出力する。無線タグ２２は、入力された電源設定情報を記憶する（ステップＳ３０１）。その後、入場者に携帯された携帯端末が制限エリア１００の入り口のゲート４０を通過すると、その箇所に設置されているリードライト装置１０は、携帯端末２０の無線タグ２２に記憶されているタグ情報を読み出すタグ情報読出し信号を携帯端末２０に送信する（ステップＳ３０２）。
【００５５】
すると、携帯端末２０の無線タグ２２は、記憶しているタグ情報を無線タグ用アンテナ２１を介してリードライト装置１０に送信する（ステップＳ３０３）。
【００５６】
リードライト装置１０の受信部１３は、タグ情報を受信し、この情報を制御部１４に出力する。制御部１４は、入力されたタグ情報を読み出し、タグ情報が電源設定情報であることを特定することで、携帯端末２０が制限エリア内に入ったことを検出する（ステップＳ３０４）。次に、制御部１４は、電源設定情報がオン設定を示しているか否かを判定する（ステップＳ３０５）。制御部１４は、電源設定情報がオン設定でないと判定した場合には（ステップＳ３０５；ＮＯ）、リードライト装置１０の処理を終了する。一方、制御部１４は、電源設定情報がオン設定であると判定した場合には（ステップＳ３０５；ＹＥＳ）、図２に示すように、マナーモード、自動起動の解除設定、及びアラームの解除設定にする旨のガイダンスを制限エリア内に設置されている表示装置３０に表示させる（ステップＳ３０６）。その後、制御部１４は、マナーモード、自動起動の解除設定、及びアラームの解除設定を強制的に行うマナーモード等強制要求を送信部１２に出力する。送信部１２は、受けたマナーモード等強制要求変調し、変調したマナーモード強制要求を送受信用アンテナ１１を介して携帯端末２０に送信する（ステップＳ３０７）。送信部１２は、マナーモード等強制要求送信部を構成する。
【００５７】
携帯端末２０の無線タグ２２は、無線タグ用アンテナ２１を介して受信したマナーモードオフ強制要求をタグ情報として記憶する（ステップＳ３０８）。次に、外部制御インターフェース２３は、無線タグに新たなタグ情報が記憶されたことを制御部２４に知らせる情報を出力する。制御部２４は、外部制御インターフェース２３からの情報に基づき、無線タグ２２に記憶されているタグ情報を読み出し、読み出した情報がマナーモード等強制要求である旨を認識し、機能実装部２６を構成するＲＡＭにマナーモードに設定し、自動起動を解除設定にし、アラームを解除設定にする旨を登録し（ステップＳ３０９）、無線タグにマナーモード等強制要求を出力する。制御部２４は、マナーモード等設定変更部及びマナーモード等設定情報出力部を構成する。
【００５８】
その後、リードライト装置１０の制御部１４は、記憶部１６に記憶されている、携帯端末をマナーモード、自動起動の解除設定、及びアラームの解除設定を保持する必要があるかないかを示す情報を読み出し、マナーモード、自動起動の解除設定、及びアラームの解除設定を保持する必要があるか否かを判定する（ステップＳ３１０）。制御部１４は、マナーモード、自動起動の解除設定、及びアラームの解除設定を保持する必要がないと判定した場合には（ステップＳ３１０；ＮＯ）、リードライト装置１０の処理を終了する。一方、制御部１４は、保持する必要があると判定した場合には（ステップＳ３１０；ＹＥＳ）、マナーモード、自動起動の解除設定、及びアラームの解除設定を保持することを要求するマナーモード等保持要求を送信部１２に出力する。送信部１２は、入力されたマナーモード等保持要求を変調し、変調したマナーモード等保持要求を送受信用アンテナ１１を介して携帯端末２０に送信し（ステップＳ３１１）、リードライト装置１０の処理を終了する。送信部１２は、マナーモード等保持要求送信部を構成する。
【００５９】
携帯端末２０の無線タグ２２は、無線タグ用アンテナ２１を介してマナーモード等保持要求を受信すると、マナーモード等保持要求を記憶する（ステップＳ３１２）。ここでは、無線タグ用アンテナ２１は、マナーモード等保持要求出力部として機能する。マナーモード等保持要求外部インターフェース２３は、無線タグ２２に新たにタグ情報が記憶されたことを示す情報を制御部２４に出力する。制御部２４は、その情報に基づき、入場者が操作部２８からマナーモードの解除、自動起動の設定、及びアラームの設定しても、これらの設定ができないようするための情報を機能実装部２６に登録し（ステップＳ３１３）、携帯端末の処理を終了する。
【００６０】
＜退場する場合について＞
図６は美術館、劇場等の制限エリアに退場する際の携帯端末通信規制システムの動作を示すフローチャートである。携帯端末を携帯する入場者が、制限エリア１００から非制限エリア１１０に退場する際にゲート４０を通過すると、リードライト装置１０は、送信部１２及び送受信用アンテナ１１を介して常時、携帯端末２０の無線タグに記憶されているタグ情報を読み出すタグ情報読出し信号を出力している（ステップＳ４０１）。
【００６１】
携帯端末２０がリードライト装置１０よりタグ情報読出し信号を受信すると、無線タグ２２は記憶しているオフ強制要求または電源オフ保持要求タグ情報からなるタグ情報を無線タグ用アンテナ２１を介してリードライト装置１０に送信する（ステップＳ４０２）。
【００６２】
リードライト装置１０の受信部１３は、タグ情報を送受信用アンテナ１１を介して受信すると、タグ情報を復調してこの情報を制御部１４に出力する。制御部１４は、入力されたタグ情報に基づき制限エリアを退場する携帯端末２０を検出する（ステップＳ４０３）。その後、制御部１４は、携帯端末２０の機能実装部２６に登録されているマナーモード等強制要求またはマナーモード等保持要求を解除して元の設定状態に復帰させるためのマナーモード等復帰要求を送信部１２に出力する。送信部１２は、入力されたマナーモード等復帰要求を変調し、変調したマナーモード等復帰要求を送受信用アンテナ１１を介して携帯端末２０に送信するとともに（ステップＳ４０４）、ゲート４０の近くに設置されている表示装置３０に携帯端末のマナーモードが解除され、自動起動に設定、及びアラームに設定された旨のガイダンスを表示し（ステップＳ４０５）、リードライト装置１０の処理を終了する。送信部１２は、マナーモード等復帰要求送信部を構成する。
【００６３】
携帯端末１０がマナーモード等復帰要求を受信すると、無線タグ２２は、マナーモード等復帰要求を記憶する（ステップＳ４０６）。外部制御インターフェース２３は、無線タグ２２に新たなタグ情報が記憶された旨を制御部２４に出力する。制御部２４は、外部制御インターフェース２３を介して無線タグ２２からタグ情報を読み出し、マナーモード等復帰要求に基づき、機能実装部２６に登録されているマナーモード等強制要求またはマナーモード等保持要求するための情報を消去して元の設定状態を示す情報に復帰させ（ステップＳ４０７）、携帯端末１０の処理を終了する。制御部２４は、マナーモード等設定復帰部を構成する。
【００６４】
この実施形態の端末通信規制システムによれば、リードライト装置１０が無線タグ２２に記憶されている電源設定情報を読み出すことにより、制限エリア内に持ち込まれた携帯端末２０検出することができる。また、携帯端末２０がリードライト装置１０より受信したオフ強制要求に基づき電源をオフに設定することにより、制限エリア内において確実に携帯電話の発信を規制することができ。更に、リードライト装置１０は、安価であるため安価なコストでシステムを構築することができる。
【００６５】
また、携帯端末２０がリードライト装置１０より受信したオン強制要求に基づき、電源をオンに設定することにより、携帯端末２０が制限エリア１００内から非制限１１０エリアに出るとき、人の操作を介さずに自動で電源をオンに設定することができる。
【００６６】
また、携帯端末２０がリードライト装置１０より受信した電源オフ保持要求を無線タグ２２に出力することにより、故意または誤って携帯端末の電源をオンにする操作を行った場合でも、電源をオンに設定することを防止することができる。
【００６７】
また、携帯端末２０が制限エリア１００内に持ち込まれた場合に表示装置３０が携帯端末２０の電源をオフにする旨のガイダンスを表示するので、携帯端末を携帯する入場者は、制限エリア１００に入場したことを認識することができる。
【００６８】
また、携帯端末２０がリードライト装置１０より受信したマナーモード等強制要求に基づき、この制要求が示す設定状態に設定変更することにより、マナーモードに強制的に設定し、携帯端末２０の計時機能を利用した自動起動の解除を強制的に設定し、及びや該携帯端末のアラームの解除を強制的に設定するという、携帯電話２０の発信を確実に規制することができる。
【００６９】
また、携帯端末２０がリードライト装置１０より受信したマナーモード等復帰要求に基づき、この要求が示す設定状態に復帰させることにより、故意または誤って携帯端末２０のマナーモードを解除し、携帯端末の自動起動を解除し、及び携帯端末２０のアラームを解除する操作を行った場合でも、これらの解除をすることを防止することができる。
【００７０】
また、携帯端末２０がリードライト装置１０より受信したにマナーモード等保持要求に基づき、この要求を無線タグ２２に出力することにより、故意または誤って携帯端末２０をマナーモードを解除し、自動起動を解除し、及びやアラームを解除する操作を行った場合でも、これらの解除をすることを防止することができる。
【００７１】
また、携帯端末２０が制限エリア内に持ち込まれた場合に表示装置３０がマナーモードを解除し、自動起動を解除し、及びやアラームを解除する操作を行うようにとのガイダンスを表示するので、携帯端末を携帯する入場者は、制限エリアに入場したことを認識することができる。
【００７２】
更に、上述の説明に加え、携帯端末２０が携帯電話である場合は、携帯電話の無線タグ２２に電話番号情報を記憶させることができる。そして、図１に示すように、携帯電話が制限エリア内に持ち込まれる際、リードライト装置１０が、無線タグ２２に記憶された電話番号情報を読み取り、通信部１９から携帯電話網５０を介して、当該電話番号を携帯電話基地局６０に送信するような構成にすることができる。
【００７３】
この場合、携帯電話基地局６０は、制限エリア内に持ち込まれる携帯電話に、上述の（１）の動作又は（２）の動作がこれから行われる旨の通知を行うように構成することもできる。この通知は、図３のステップＳ１０９又は図５のステップＳ３０９の前に携帯電話に対してなされる。通知はメッセージによるものであっても良いし、表示部２７への表示であっても良い。
【００７４】
携帯端末２０には、携帯電話、ＰＨＳ、ＰＤＡ、データ通信カード、ページャー、携帯テレビ、携帯ラジオ、カメラ、ビデオカメラ、時計、パーソナルコンピュータ、電卓、電子手帳、電子辞書、ゲーム機、プリンタ、電気かみそり、無線操縦玩具、等、種々の携帯可能な電子機器総てが含まれ得る。
【００７５】
また、無線タグ２２に記憶されるタグ情報には、上述のような携帯端末２０の種類を特定する端末特定情報を含ませることが可能である。リードライト装置１０がこの端末特定情報を読み取り、特定された携帯端末の種類に応じて、的確な動作指令の選択を行うことが可能となる。
【００７６】
尚、本明細書でいう無線タグ２２は、「ＲＦＩＤ（Radio Frequency Identification）」、「電子荷札」、「電子タグ」、「ＩＣタグ」等と呼ばれることがあるが、本発明ではその詳細な構成は限定されない。一般的に、無線タグ２２は、無線タグ用アンテナ２１を介して情報を送受信する送受信制御部、読み書き制御部、メモリ及び電源部等が半導体集積回路化されて、チップ上に形成され、構成されている。電源部は、受信された前記情報としての無線電波の電力を利用して、各部を動作させる直流電圧を発生するものである。従って、たとえ携帯端末２０の電源がオフの状態でも、無線電波を受信して無線タグ２２は起動可能である。また、メモリはフラッシュメモリ等により構成され、一定の書込手順に従って書き込まれた情報を、電源の供給を停止しても保持する不揮発性を有する。そしてメモリに、携帯端末２０に与えられている種々の情報を書き込んでおく。尚、小型のＩＣカードやＩＣチップも、本明細書でいう無線タグに含まれ得る。
【００７７】
また、制限エリアのある施設には、飛行機以外の交通機関、博物館、映画館、試験場、運動施設、学校、会社、公共施設、店舗等があるが、特にその種類は限定されない。制限エリアとは、電源オフ、持ち込み禁止、マナーモードへの切換など、何らかの形で携帯端末の使用が制限されているエリアをいう。
【００７８】
また、上述の（２）、すなわち美術館、劇場等の制限エリアに入退場する際の携帯端末通信規制システムの動作においては、（ａ）携帯端末をマナーモードに強制的に設定するか、（ｂ）携帯端末の計時機能を利用した自動起動の解除を強制的に設定するか、（ｃ）該携帯端末のアラームの解除を強制的に設定するか、の三つのモードが設けられた。更にこれらのモードに加え、（ｄ）携帯端末の通信機能のみをオフに設定するモードを設けることができる。このモードにおいては、携帯端末の電源が完全にオフにされるわけではないが、他の端末との通信機能のみが停止される。例えば、制御部２４が、通信用アンテナへの電力の供給を停止することにより達成される。これにより通信そのものは不可能となるが、携帯端末の時計、アラーム機能等の付加的機能は使用することができる。もちろん、無線タグ用アンテナ２１は別に作動している。
【００７９】
また、リーダライタ装置が接置される場所は制限エリアの入り口であるが、設置場所の範囲は厳密に限定されるものではなく、制限エリアに出入りする携帯端末を検知することができる場所であれば、特に限定はされない。
【００８０】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００８１】
本発明によれば、制限エリア内において確実に携帯電話の発信を規制することができ、安価な携帯端末通信規制システムが提供される。
【図面の簡単な説明】
【００８２】
【図１】本発明の実施形態に係る携帯端末通信規制システムの構成を示すブロック図
【図２】実施形態の携帯端末通信規制システムの動作を説明する際に使用する図
【図３】実施形態の携帯端末通信規制システムの動作を説明するフローチャート
【図４】実施形態の携帯端末通信規制システムの動作を説明するフローチャート
【図５】実施形態の携帯端末通信規制システムの動作を説明するフローチャート
【図６】実施形態の携帯端末通信規制システムの動作を説明するフローチャート
【符号の説明】
【００８３】
１０  リードライト装置
１１  送受信用アンテナ
１２  送信部
１３  受信部
１４  制御部
１５  電源部
１６  記憶部
１７  表示部
１８  操作部
１９  通信部
２０  携帯端末
２１  無線タグ用アンテナ
２２  無線タグ
２３  外部制御インターフェース
２４  制御部
２５  電源部
２６  機能実装部
２７  表示部
２８  操作部
２９  スイッチ部
５０  携帯電話網
６０  携帯電話基地局（ＢＳ）
２００  携帯端末主要部
【図１】
2006203647.tif 000003
【図２】
2006203647.tif 000004
【図３】
2006203647.tif 000005
【図４】
2006203647.tif 000006
【図５】
2006203647.tif 000007
【図６】
2006203647.tif 000008